(57)【要約】【課題】接点部材における安定した導通を確保するガスセンサを提供すること。【解決手段】センサ素子２と、センサ素子２を保持するハウジング３と、センサ素子２の基端部２１を覆うように配設された大気側絶縁碍子４と、大気側絶縁碍子４の内側に配されてセンサ素子２の端子２５に接触する接点部材５と、大気側絶縁碍子４を保持するホルダ６と、大気側絶縁碍子４を覆うように設けた大気側カバー１１とを有するガスセンサ１。接点部材５は、大気側絶縁碍子４の基端側への抜けを防止する係止部５１を有する。大気側絶縁碍子４は、接点部材５の係止部５１を係止させる被係止部４１を内側に有する。ホルダ６は、大気側カバー１１に形成された内方突出部１１１に対して軸方向先端側から当接可能なホルダ当接部６２と、径方向内側に向かって屈曲してなり大気側絶縁碍子４の基端面４０に当接する爪部６１とを有する。【選択図】図１
2008215876.tif 000002
【特許請求の範囲】
【請求項１】
被測定ガス中の特定ガス濃度を検出するためのセンサ素子と、該センサ素子を内側に保持するハウジングと、上記ハウジングの基端側において上記センサ素子の基端部を覆うように配設された大気側絶縁碍子と、該大気側絶縁碍子の内側に配されて上記センサ素子の端子に接触する接点部材と、上記大気側絶縁碍子を外側面から保持するホルダと、上記大気側絶縁碍子を覆うようにハウジングの基端側に設けた大気側カバーとを有するガスセンサであって、
上記接点部材は、上記大気側絶縁碍子の基端側への抜けを防止する係止部を有し、
上記大気側絶縁碍子は、上記接点部材の上記係止部を係止させる被係止部を内側に有し、
上記ホルダは、上記大気側カバーに形成された内方突出部に対して軸方向先端側から当接可能なホルダ当接部と、径方向内側に向かって屈曲してなり上記大気側絶縁碍子の基端面に当接する爪部とを有することを特徴とするガスセンサ。
【請求項２】
被測定ガス中の特定ガス濃度を検出するためのセンサ素子と、該センサ素子を内側に保持するハウジングと、上記ハウジングの基端側において上記センサ素子の基端部を覆うように配設された大気側絶縁碍子と、該大気側絶縁碍子の内側に配されて上記センサ素子の端子に接触する接点部材と、上記大気側絶縁碍子を外側面から保持するホルダと、上記大気側絶縁碍子を覆うようにハウジングの基端側に設けた大気側カバーとを有するガスセンサであって、
上記大気側カバーの内側であって上記大気側絶縁碍子の外側には、上記ハウジングに固定された内側保護筒が配設されており、
上記接点部材は、上記大気側絶縁碍子の基端側への抜けを防止する係止部を有し、
上記大気側絶縁碍子は、上記接点部材の上記係止部を係止させる被係止部を内側に有し、
上記ホルダは、上記内側保護筒の内側面に押圧接触する押圧部材と、径方向内側に向かって屈曲してなり上記大気側絶縁碍子の基端面に当接する爪部とを有し、
上記内側保護筒は、上記押圧部材の基端側において内側に突出した内方突出部を有することを特徴とするガスセンサ。
【請求項３】
被測定ガス中の特定ガス濃度を検出するための有底筒状のセンサ素子と、該センサ素子を内側に保持するハウジングと、基端部を突出させた状態で上記センサ素子の内側に保持され該センサ素子を加熱するヒータと、上記ハウジングの基端側において上記ヒータの基端部を覆うように配設された大気側絶縁碍子と、該大気側絶縁碍子の内側に配されて上記ヒータの端子に接触する接点部材と、上記大気側絶縁碍子を外側面から保持するホルダと、上記大気側絶縁碍子を覆うようにハウジングの基端側に設けた大気側カバーとを有するガスセンサであって、
上記接点部材は、上記大気側絶縁碍子の基端側への抜けを防止する係止部を有し、
上記大気側絶縁碍子は、上記接点部材の上記係止部を係止させる被係止部を内側に有し、
上記ホルダは、上記大気側カバーに形成された内方突出部に対して軸方向先端側から当接可能なホルダ当接部と、径方向内側に向かって屈曲してなり上記大気側絶縁碍子の基端面に当接する爪部とを有することを特徴とするガスセンサ。
【請求項４】
被測定ガス中の特定ガス濃度を検出するための有底筒状のセンサ素子と、該センサ素子を内側に保持するハウジングと、基端部を突出させた状態で上記センサ素子の内側に保持され該センサ素子を加熱するヒータと、上記ハウジングの基端側において上記ヒータの基端部を覆うように配設された大気側絶縁碍子と、該大気側絶縁碍子の内側に配されて上記ヒータの端子に接触する接点部材と、上記大気側絶縁碍子を外側面から保持するホルダと、上記大気側絶縁碍子を覆うようにハウジングの基端側に設けた大気側カバーとを有するガスセンサであって、
上記大気側カバーの内側であって上記大気側絶縁碍子の外側には、上記ハウジングに固定された内側保護筒が配設されており、
上記接点部材は、上記大気側絶縁碍子の基端側への抜けを防止する係止部を有し、
上記大気側絶縁碍子は、上記接点部材の上記係止部を係止させる被係止部を内側に有し、
上記ホルダは、上記内側保護筒の内側面に押圧接触する押圧部材と、径方向内側に向かって屈曲してなり上記大気側絶縁碍子の基端面に当接する爪部とを有し、
上記内側保護筒は、上記押圧部材の基端側において内側に突出した内方突出部を有することを特徴とするガスセンサ。
【請求項５】
請求項１又は３において、上記ホルダ当接部は、軸方向の外力によって弾性変形する弾性変形部を有することを特徴とするガスセンサ。
【請求項６】
請求項５において、上記弾性変形部は、上記ホルダ当接部に形成された屈曲部からなることを特徴とするガスセンサ。
【請求項７】
請求項１〜６のいずれか一項において、上記ホルダは、上記大気側絶縁碍子の外側面のうち周方向の５０％を超える範囲に配設されていることを特徴とするガスセンサ。
【発明の詳細な説明】
【技術分野】
【０００１】
本発明は、被測定ガス中の特定ガス濃度を検出するガスセンサに関する。
【背景技術】
【０００２】
従来より、自動車の内燃機関等の排気系には、排ガス中の酸素や窒素酸化物等の特定ガスの濃度を測定するガスセンサ９が配設されている。該ガスセンサ９として、図７に示すごとく、被測定ガス中の特定ガス濃度を検出するための板棒状のセンサ素子９２を、素子側絶縁碍子９３に挿通保持させてなるものがある（特許文献１参照）。そして、素子側絶縁碍子９３は、ハウジング９４の内側に保持されている。素子側絶縁碍子９３の基端側には、センサ素子９２の基端部９２１を覆うように配設された大気側絶縁碍子９５が配設され、該大気側絶縁碍子９５を覆うように大気側カバー９６がハウジング９４の基端側に設けてある。
そして、大気側絶縁碍子９５の内側には、センサ素子９２の端子に接触する接点部材９７が配設され、該接点部材にリード線９８が接続されている。
【０００３】
しかしながら、上記ガスセンサ９においては以下の問題がある。
即ち、ガスセンサ９のリード線９８が引張られたとき、該リード線９８に接続された接点部材９７も基端側へ引張られることとなる。接点部材９７が大気側絶縁碍子９５に対して軸方向に係止されていないと、接点部材９７が抜けてしまい、センサ素子９２の端子との導通が取れなくなるおそれがある。また、接点部材９７が大気側絶縁碍子９５に対して軸方向に係止されていたとしても、接点部材９７が大気側絶縁碍子９５と共に軸方向にずれてしまい、センサ素子９２の端子との導通が取れなくなるおそれがある。
【０００４】
【特許文献１】特開２００４−１４４７３２号公報
【発明の開示】
【発明が解決しようとする課題】
【０００５】
本発明は、かかる従来の問題点に鑑みてなされたもので、接点部材における安定した導通を確保するガスセンサを提供しようとするものである。
【課題を解決するための手段】
【０００６】
第１の発明は、被測定ガス中の特定ガス濃度を検出するためのセンサ素子と、該センサ素子を内側に保持するハウジングと、上記ハウジングの基端側において上記センサ素子の基端部を覆うように配設された大気側絶縁碍子と、該大気側絶縁碍子の内側に配されて上記センサ素子の端子に接触する接点部材と、上記大気側絶縁碍子を外側面から保持するホルダと、上記大気側絶縁碍子を覆うようにハウジングの基端側に設けた大気側カバーとを有するガスセンサであって、
上記接点部材は、上記大気側絶縁碍子の基端側への抜けを防止する係止部を有し、
上記大気側絶縁碍子は、上記接点部材の上記係止部を係止させる被係止部を内側に有し、
上記ホルダは、上記大気側カバーに形成された内方突出部に対して軸方向先端側から当接可能なホルダ当接部と、径方向内側に向かって屈曲してなり上記大気側絶縁碍子の基端面に当接する爪部とを有することを特徴とするガスセンサにある（請求項１）。
【０００７】
次に、本発明の作用効果につき説明する。
上記接点部材は上記係止部を有し、上記大気側絶縁碍子は上記被係止部を有する。これにより、上記接点部材がこれに接続されたリード線等を介して基端側へ引張られても、接点部材の係止部が大気側絶縁碍子の被係止部に係止され、大気側絶縁碍子からの接点部材の抜けを防ぐことができる。
【０００８】
そして、このとき、大気側絶縁碍子に、基端側へ向かう力が接点部材を介して作用することとなる。ところが、ホルダは上記爪部を有するため、該爪部が大気側絶縁碍子の基端面に当接することにより、大気側絶縁碍子が基端側へずれることを防ぐことができる。更に、ホルダは上記ホルダ当接部を有するため、該ホルダ当接部が大気側カバーの内方突出部に対して軸方向先端側から当接する。これにより、大気側絶縁碍子が大気側カバーに対してずれることを防ぐことができる。
【０００９】
大気側カバーはハウジングに固定されており、センサ素子もハウジングに保持されている。そのため、大気側絶縁碍子が大気側カバーに対してずれなければ、大気側絶縁碍子がセンサ素子に対してもずれることがない。そして、上述のごとく大気側絶縁碍子に対してずれない接点部材も、センサ素子に対してずれることがない。
このように、基端側に向かう大きな外力がかかっても、接点部材がセンサ素子に対してずれることがなく、接点部材とセンサ素子の端子との間の安定した導通を確保することができる。
【００１０】
以上のごとく、本発明によれば、接点部材における安定した導通を確保するガスセンサを提供することができる。
【００１１】
第２の発明は、被測定ガス中の特定ガス濃度を検出するためのセンサ素子と、該センサ素子を内側に保持するハウジングと、上記ハウジングの基端側において上記センサ素子の基端部を覆うように配設された大気側絶縁碍子と、該大気側絶縁碍子の内側に配されて上記センサ素子の端子に接触する接点部材と、上記大気側絶縁碍子を外側面から保持するホルダと、上記大気側絶縁碍子を覆うようにハウジングの基端側に設けた大気側カバーとを有するガスセンサであって、
上記大気側カバーの内側であって上記大気側絶縁碍子の外側には、上記ハウジングに固定された内側保護筒が配設されており、
上記接点部材は、上記大気側絶縁碍子の基端側への抜けを防止する係止部を有し、
上記大気側絶縁碍子は、上記接点部材の上記係止部を係止させる被係止部を内側に有し、
上記ホルダは、上記内側保護筒の内側面に押圧接触する押圧部材と、径方向内側に向かって屈曲してなり上記大気側絶縁碍子の基端面に当接する爪部とを有し、
上記内側保護筒は、上記押圧部材の基端側において内側に突出した内方突出部を有することを特徴とするガスセンサにある（請求項２）。
【００１２】
次に、本発明の作用効果につき説明する。
上記接点部材は上記係止部を有し、上記大気側絶縁碍子は上記被係止部を有するため、大気側絶縁碍子からの接点部材の抜けを防ぐことができる。
そして、ホルダは上記爪部を有するため、該爪部が大気側絶縁碍子の基端面に当接することにより、大気側絶縁碍子が基端側へずれることを防ぐことができる。更に、ホルダは上記押圧部材を有し、上記内側保護筒は押圧部材の基端側に内方突出部を有するため、押圧部材が内方突出部に当接する。
これにより、大気側絶縁碍子が内側保護筒に対してずれることを防ぐことができる。
【００１３】
内側保護筒はハウジングに固定されており、センサ素子もハウジングに保持されている。そのため、大気側絶縁碍子が内側保護筒に対してずれなければ、大気側絶縁碍子がセンサ素子に対してもずれることがない。そして、上述のごとく大気側絶縁碍子に対してずれない接点部材も、センサ素子に対してずれることがない。
このように、基端側に向かう大きな外力がかかっても、接点部材がセンサ素子に対してずれることがなく、接点部材とセンサ素子の端子との間の安定した導通を確保することができる。
【００１４】
また、外力によって大気側カバーが変形したとき、その変形を大気側カバーと内側保護筒との間のスペースにおいて吸収することができる。そのため、センサ素子の破損を効果的に防ぐことができる。
【００１５】
以上のごとく、本発明によれば、接点部材における安定した導通を確保するガスセンサを提供することができる。
【００１６】
第３の発明は、被測定ガス中の特定ガス濃度を検出するための有底筒状のセンサ素子と、該センサ素子を内側に保持するハウジングと、基端部を突出させた状態で上記センサ素子の内側に保持され該センサ素子を加熱するヒータと、上記ハウジングの基端側において上記ヒータの基端部を覆うように配設された大気側絶縁碍子と、該大気側絶縁碍子の内側に配されて上記ヒータの端子に接触する接点部材と、上記大気側絶縁碍子を外側面から保持するホルダと、上記大気側絶縁碍子を覆うようにハウジングの基端側に設けた大気側カバーとを有するガスセンサであって、
上記接点部材は、上記大気側絶縁碍子の基端側への抜けを防止する係止部を有し、
上記大気側絶縁碍子は、上記接点部材の上記係止部を係止させる被係止部を内側に有し、
上記ホルダは、上記大気側カバーに形成された内方突出部に対して軸方向先端側から当接可能なホルダ当接部と、径方向内側に向かって屈曲してなり上記大気側絶縁碍子の基端面に当接する爪部とを有することを特徴とするガスセンサにある（請求項３）。
【００１７】
次に、本発明の作用効果につき説明する。
上記接点部材は上記係止部を有し、上記大気側絶縁碍子は上記被係止部を有するため、大気側絶縁碍子からの接点部材の抜けを防ぐことができる。
そして、ホルダは上記爪部を有するため、該爪部が大気側絶縁碍子の基端面に当接することにより、大気側絶縁碍子が基端側へずれることを防ぐことができる。更に、ホルダは上記ホルダ当接部を有するため、該ホルダ当接部が大気側カバーの内方突出部に対して軸方向先端側から当接する。これにより、大気側絶縁碍子が大気側カバーに対してずれることを防ぐことができる。
【００１８】
大気側カバーはハウジングに固定されており、ヒータもセンサ素子を介してハウジングに保持されている。そのため、大気側絶縁碍子が大気側カバーに対してずれなければ、大気側絶縁碍子がヒータに対してもずれることがない。そして、上述のごとく大気側絶縁碍子に対してずれない接点部材も、ヒータに対してずれることがない。
このように、基端側に向かう大きな外力がかかっても、接点部材がヒータに対してずれることがなく、接点部材とヒータの端子との間の安定した導通を確保することができる。
【００１９】
以上のごとく、本発明によれば、接点部材における安定した導通を確保するガスセンサを提供することができる。
【００２０】
第４の発明は、被測定ガス中の特定ガス濃度を検出するための有底筒状のセンサ素子と、該センサ素子を内側に保持するハウジングと、基端部を突出させた状態で上記センサ素子の内側に保持され該センサ素子を加熱するヒータと、上記ハウジングの基端側において上記ヒータの基端部を覆うように配設された大気側絶縁碍子と、該大気側絶縁碍子の内側に配されて上記ヒータの端子に接触する接点部材と、上記大気側絶縁碍子を外側面から保持するホルダと、上記大気側絶縁碍子を覆うようにハウジングの基端側に設けた大気側カバーとを有するガスセンサであって、
上記大気側カバーの内側であって上記大気側絶縁碍子の外側には、上記ハウジングに固定された内側保護筒が配設されており、
上記接点部材は、上記大気側絶縁碍子の基端側への抜けを防止する係止部を有し、
上記大気側絶縁碍子は、上記接点部材の上記係止部を係止させる被係止部を内側に有し、
上記ホルダは、上記内側保護筒の内側面に押圧接触する押圧部材と、径方向内側に向かって屈曲してなり上記大気側絶縁碍子の基端面に当接する爪部とを有し、
上記内側保護筒は、上記押圧部材の基端側において内側に突出した内方突出部を有することを特徴とするガスセンサにある（請求項４）。
【００２１】
次に、本発明の作用効果につき説明する。
上記接点部材は上記係止部を有し、上記大気側絶縁碍子は上記被係止部を有するため、大気側絶縁碍子からの接点部材の抜けを防ぐことができる。
そして、ホルダは上記爪部を有するため、該爪部が大気側絶縁碍子の基端面に当接することにより、大気側絶縁碍子が基端側へずれることを防ぐことができる。更に、ホルダは上記押圧部材を有し、上記内側保護筒は押圧部材の基端側に内方突出部を有するため、押圧部材が内方突出部に当接する。
これにより、大気側絶縁碍子が内側保護筒に対してずれることを防ぐことができる。
【００２２】
内側保護筒はハウジングに固定されており、ヒータもセンサ素子を介してハウジングに保持されている。そのため、大気側絶縁碍子が内側保護筒に対してずれなければ、大気側絶縁碍子がヒータに対してもずれることがない。そして、上述のごとく大気側絶縁碍子に対してずれない接点部材も、ヒータに対してずれることがない。
このように、基端側に向かう大きな外力がかかっても、接点部材がヒータに対してずれることがなく、接点部材とヒータの端子との間の安定した導通を確保することができる。
【００２３】
また、外力によって大気側カバーが変形したとき、その変形を大気側カバーと内側保護筒との間のスペースにおいて吸収することができる。そのため、センサ素子およびヒータの破損を効果的に防ぐことができる。
【００２４】
以上のごとく、本発明によれば、接点部材における安定した導通を確保するガスセンサを提供することができる。
【発明を実施するための最良の形態】
【００２５】
上記第１〜第４の発明において、上記ガスセンサとしては、例えば、自動車エンジン等の各種車両用内燃機関の排気管に設置して、排気ガスフィードバックシステムに使用する空燃比センサ、排気ガス中の酸素濃度を測定する酸素センサ、また排気管に設置する三元触媒の劣化検知等に利用するＮＯｘ等の大気汚染物質濃度を調べるＮＯｘセンサ等がある。
また、上記第１の発明及び上記第３の発明において、上記ホルダは上記大気側カバーに対して、上記ホルダ当接部が上記大気側カバーの内方突出部に当接した状態で組み付けられていてもよいし、近接した状態で組み付けられていてもよい。ただし、近接した状態の場合には、ホルダ当接部と内方突出部との距離は、両者が当接するまで相対的な移動が生じたときに、上記接点部材が上記センサ素子又は上記ヒータの端子から外れない程度とする必要がある。
【００２６】
また、上記第２の発明及び上記第４の発明において、上記ホルダは上記内側保護筒に対して、上記ホルダ当接部が上記内側保護筒の内方突出部に当接した状態で組み付けられていてもよいし、近接した状態で組み付けられていてもよい。ただし、近接した状態の場合には、ホルダ当接部と内方突出部との距離は、両者が当接するまで相対的な移動が生じたときに、上記接点部材が上記センサ素子又は上記ヒータの端子から外れない程度とする必要がある。
なお、本明細書においては、ガスセンサについて、被測定ガスに曝される側を先端側、その反対側を基端側として説明する。
【００２７】
次に、上記第１の発明又は上記第３の発明において、上記ホルダ当接部は、軸方向の外力によって弾性変形する弾性変形部を有することが好ましい（請求項５）。
この場合には、ホルダ等の寸法公差ばらつき分を上記弾性変形部において吸収することができるため、組付け作業性を向上させることができる。その結果、上記ホルダ当接部が上記大気側カバーの内方突出部に確実に当接した状態で組み付けることが容易となる。
【００２８】
また、上記弾性変形部は、上記ホルダ当接部に形成された屈曲部からなることが好ましい（請求項６）。
この場合には、上記弾性変形部を容易に形成することができる。
【００２９】
また、上記ホルダは、上記大気側絶縁碍子の外側面のうち周方向の５０％を超える範囲に配設されていることが好ましい（請求項７）。
この場合には、上記ホルダによって、上記大気側絶縁碍子を充分に保持することができると共に、接点部材を介した基端側への外力が大気側絶縁碍子にかかったときにも、ホルダに対する大気側絶縁碍子のズレを充分に防ぐことができる。その結果、接点部材がセンサ素子又はヒータの端子に対してずれることを充分に防ぐことができる。
【実施例】
【００３０】
（実施例１）
本発明の実施例にかかるガスセンサにつき、図１〜図４を用いて説明する。
本例のガスセンサ１は、図１に示すごとく、被測定ガス中の特定ガス濃度を検出するためのセンサ素子２を内蔵してなる。センサ素子２は、ハウジング３の内側に保持されており、ハウジング３の基端側においてセンサ素子２の基端部２１を覆うように大気側絶縁碍子４が配されている。大気側絶縁碍子４の内側には、センサ素子２の端子２５に接触する接点部材５が保持され、大気側絶縁碍子４は、ホルダ６によって外側面から保持されている。また、大気側カバー１１が、大気側絶縁碍子４を覆うようにハウジング３の基端側に設けてある。
【００３１】
図２に示すごとく、接点部材５は、大気側絶縁碍子４の基端側への抜けを防止する係止部５１を有し、大気側絶縁碍子４は、接点部材５の係止部５１を係止させる被係止部４１を内側に有する。
【００３２】
ホルダ６は、大気側カバー１１に形成された内方突出部１１１に対して軸方向先端側から当接可能なホルダ当接部６２を有する。
ホルダ当接部６２は、図１、図４に示すごとく、本体部６０の基端側において径方向外側に向かって略９０°に屈曲してなる。なお、ホルダ当接部６２は、図３に示すごとく、回転対称となる位置に３つ形成されているが、２つ又は４つ以上とすることもできる。
また、ホルダ当接部６２は、図１、図３、図４に示すごとく、軸方向の外力によって弾性変形する弾性変形部６２１を有する。即ち、ホルダ当接部６２に形成された屈曲部が上記弾性変形部６２１として機能する。
【００３３】
また、ホルダ６は、図１、図３、図４に示すごとく、径方向内側に向かって略９０°に屈曲してなり大気側絶縁碍子４の基端面４０に当接する爪部６１を有する。本例では、爪部６１を２つ設けたが、１つ設ければ本発明の作用効果を充分に発揮することができる。
さらに、ホルダ６は、大気側絶縁碍子４の外側面のうち周方向の５０％を超える範囲に配設されている。本例においては、図３に示すごとく、ホルダ６の本体部６０は、周方向の一部にスリット部６３を設けた略Ｃ字形状を有する。そして、スリット部６３を除く本体部６０が、大気側絶縁碍子４の外周面のうち周方向の５０％（１８０°）を超える範囲に配置される。
【００３４】
また、本体部６０の側面からは、外方へ向かって形成された外方バネ部６４が回転対称となる位置に４本形成されている。大気側絶縁碍子４を保持したホルダ６は、外方バネ部６４を大気側カバー１１の内側面に当接させた状態で配設されている。そして、外方バネ部６４は、ホルダ６の径方向に弾性変形可能である。また、外方バネ部６４は、接点部材５の弾性変形方向と同じ方向に弾性変形することができるよう配設されている。
これにより、ガスセンサ１に衝撃力等の外力が働いたとき、外方バネ部６４によって外力を吸収し、センサ素子２の破損を防いでいる。
【００３５】
本例のセンサ素子２は、アルミナ（Ａｌ2Ｏ3）やジルコニア（ＺｒＯ2）等のセラミック板を積層して構成した積層型の素子であって、被測定ガス中の特定ガスの濃度（例えば内燃機関の排ガス中の酸素濃度や窒素酸化物濃度等）を検出するセンサセルと、該センサセルの温度を調整するためのヒータとを一体的に設けてなる（図示略）。
【００３６】
センサ素子２は、素子側絶縁碍子１２に挿通されており、センサ素子２と素子側絶縁碍子１２との間は、ガラス封止材１４１によって封止されると共に固定されている。また、素子側絶縁碍子１２はハウジング３に保持され、素子側絶縁碍子１２とハウジング３との間には、リング状のパッキン材１４２が配設されている。そして、素子側絶縁碍子１２は、ハウジング３の基端部によって、リング状のシール材１４３、絶縁部材１４４、金属リング１４５を介して、かしめ固定されている。
また、大気側絶縁碍子１１及び素子側絶縁碍子１２は、例えばアルミナ（Ａｌ2Ｏ3）、ステアタイト（ＭｇＯ・ＳｉＯ2）等のセラミックからなる。
【００３７】
また、接点部材５は合計４本配設されており、そのうちの２本はセンサ素子２におけるセンサセルの出力端子に接触し、他の２本はセンサセルに積層されたヒータの通電用端子に接触している。接点部材５は、金属板を折り曲げ形成してなるバネ状端子である。
また、図２に示すごとく、接点部材５は、その幅が変化する部分に長さ方向に対して略直交する段状の係止部５１を設けている。また、大気側絶縁碍子４の内側には、接点部材５を収容する収容部４３が形成されていると共に、接点部材５の係止部５１を係止させる段状の被係止部４１が形成されている。
【００３８】
また、図１に示すごとく、接点部材５は、リード線１４６に電気的に接続されている。該リード線１４６は、ガスセンサ１の基端部を密閉するブッシュ１４７を貫通して外部に延びている。
なお、ブッシュ１４７の内側には、基端部が閉塞された筒状部材１４９が配設されており、大気側カバー１１に形成された大気導入口１１２から導入された大気を、筒状部材１４９の内側を通して大気側カバー１１の内部に導くことができるよう構成されている。
【００３９】
大気側カバー１１は、基端部においてハウジング３に溶接あるいは加締め固定されている。そして、大気側カバー１１は、ハウジング３に固定されると共に大気側絶縁碍子４を覆う大径部１１４と、該大径部１１４の基端側における小径部１１３とからなる。そして、大径部１１４から小径部１１３へ縮径する段状部分が、上記内方突出部１１１であり、ホルダ当接部６２が当接する部分である。
また、ハウジング３の先端側には、センサ素子２をカバーする被測定ガス側カバー１４８が配設されている。
【００４０】
次に、本例の作用効果につき説明する。
上記接点部材５は上記係止部５１を有し、上記大気側絶縁碍子４は上記被係止部４１を有する。これにより、上記接点部材５がこれに接続されたリード線１４６を介して基端側へ引張られても、接点部材５の係止部５１が大気側絶縁碍子４の被係止部４１に係止され、大気側絶縁碍子４からの接点部材５の抜けを防ぐことができる。
【００４１】
そして、このとき、大気側絶縁碍子４に、基端側へ向かう力が接点部材５を介して作用することとなる。ところが、ホルダ６は爪部６１を有するため、該爪部６１が大気側絶縁碍子４の基端面４０に当接することにより、大気側絶縁碍子４が基端側へずれることを防ぐことができる。更に、ホルダ６は上記ホルダ当接部６２を有するため、該ホルダ当接部６２が大気側カバー１１の内方突出部１１１に対して軸方向先端側から当接する。これにより、大気側絶縁碍子４が大気側カバー１１に対してずれることを防ぐことができる。
【００４２】
大気側カバー１１はハウジング３に固定されており、センサ素子２もハウジング３に保持されている。そのため、大気側絶縁碍子４が大気側カバー１１に対してずれなければ、大気側絶縁碍子４がセンサ素子２に対してもずれることがない。そして、上述のごとく大気側絶縁碍子４に対してずれない接点部材５も、センサ素子２に対してずれることがない。
このように、基端側に向かう大きな外力がかかっても、接点部材５がセンサ素子２に対してずれることがなく、接点部材５とセンサ素子２の端子２５との間の安定した導通を確保することができる。
【００４３】
また、ホルダ当接部６２は弾性変形部６２１を有するため、ホルダ６等の寸法公差ばらつき分を弾性変形部６２１において吸収することができ、組付け作業性を向上させることができる。その結果、ホルダ当接部６２が大気側カバー１１の内方突出部１１１に確実に当接した状態で組み付けることが容易となる。
また、弾性変形部６２１は屈曲部からなるため、容易に形成することができる。
【００４４】
また、ホルダ６は、大気側絶縁碍子４の外側面のうち周方向の５０％を超える範囲に配設されている。そのため、ホルダ６によって、大気側絶縁碍子４を充分に保持することができると共に、接点部材５を介した基端側への外力が大気側絶縁碍子４にかかったときにも、ホルダ６に対する大気側絶縁碍子４のズレを充分に防ぐことができる。その結果、接点部材５がセンサ素子２に対してずれることを充分に防ぐことができる。
【００４５】
以上のごとく、本例によれば、接点部材における安定した導通を確保するガスセンサを提供することができる。
【００４６】
（実施例２）
本例は、図５に示すごとく、大気側カバー１１よりも内側であって大気側絶縁碍子４の外側に内側保護筒１５を配設した例である。
そして、ホルダ６は、内側保護筒１５の内側面に押圧接触する押圧部材６５と、径方向内側に向かって屈曲してなり大気側絶縁碍子４の基端面に当接する爪部６１とを有する。また、内側保護筒１５は、押圧部材６５の基端側において内側に突出した内方突出部１５１を有する。
【００４７】
内側保護筒１５は、先端部において、ハウジング３の基端部に加締め固定されている。
また、ホルダ６の押圧部材６５は、本端部６０から外方基端側へ向かって斜めに突出している。押圧部材６５は２本以上形成されている。
なお、本例においては、押圧部材６５の基端部と内方突出部１５１との間には、若干のクリアランスが設けてあるが、両者は互いに当接していてもよい。
その他は、実施例１と同様である。
【００４８】
本例のガスセンサ１においては、ホルダ６が押圧部材６５を有し、内側保護筒１５は押圧部材６５の基端側に内方突出部１５１を有する。そのため、接点部材５が基端側に向かう外力を受け、接点部材５を保持した大気側絶縁碍子４及びホルダ６が基端側に引張られたとき、押圧部材６５が内方突出部１５１に当接する。
これにより、大気側絶縁碍子４が内側保護筒１５に対してずれることを防ぐことができる。
【００４９】
内側保護筒１５はハウジング３に固定されており、センサ素子２もハウジング３に保持されている。そのため、大気側絶縁碍子４が内側保護筒１５に対してずれなければ、大気側絶縁碍子４がセンサ素子２に対してもずれることがない。そして、上述のごとく大気側絶縁碍子４に対してずれない接点部材５も、センサ素子２に対してずれることがない。
このように、基端側に向かう大きな外力がかかっても、接点部材５がセンサ素子２に対してずれることがなく、接点部材５とセンサ素子２の端子２５との間の安定した導通を確保することができる。
【００５０】
また、外力によって大気側カバー１１が変形したとき、その変形を大気側カバー１１と内側保護筒１５との間のスペースにおいて吸収することができる。そのため、センサ素子２の破損を効果的に防ぐことができる。
その他、実施例１と同様の作用効果を有する。
【００５１】
（実施例３）
本例は、図６に示すごとく、有底筒状のコップ型のセンサ素子２０を有するガスセンサ１の例である。
センサ素子２０は、同図に示すごとく、有底筒状の固体電解質体と、該固体電解質体の内側表面と外側表面とに設けた一対の電極（図示略）とを有する。
【００５２】
センサ素子２０はハウジング３の内側に保持されている。また、センサ素子２０の内側には、センサ素子２０を加熱するヒータ２２が、その基端部２２１を突出させた状態で挿入されている。ヒータ２２は、略円柱形状を有するアルミナ等からなるセラミックヒータである。
また、ハウジング４の基端側に、ヒータ２２の基端部２２１を覆うように、大気側絶縁碍子４が配設されている。
【００５３】
図６に示すごとく、大気側絶縁碍子４の内壁面とヒータ２２との間には、該ヒータ２２を径方向から挟圧するようにヒータ２２の基端部２２１に接触する一対の接点部材５が対向配置されている。
ヒータ２２の基端部２２１には、発熱部と導通する端子２２２が設けてあり、該端子２２２に接点部材５が接触することにより、リード線１４６とヒータ２２とが導通されている。
その他は、実施例１と同様である。
【００５４】
本例の場合にも、実施例１と同様に、大気側絶縁碍子４が大気側カバー１１に対してずれることを防ぐことができる。
大気側カバー１１はハウジング３に固定されており、ヒータ２２もセンサ素子２０を介してハウジング３に保持されている。そのため、大気側絶縁碍子４が大気側カバー１１に対してずれなければ、大気側絶縁碍子４がヒータ２２に対してもずれることがない。そして、上述のごとく大気側絶縁碍子４に対してずれない接点部材５も、ヒータ２２に対してずれることがない。
【００５５】
このように、基端側に向かう大きな外力がかかっても、接点部材５がヒータ２２に対してずれることがなく、接点部材５とヒータ２２の端子２２２との間の安定した導通を確保することができる。
その他、実施例１と同様の作用効果を有する。
【００５６】
また、上記実施例２と上記実施例３とを組合わせた構成とすることもできる。即ち、有底筒状のコップ型のセンサ素子２０を有するガスセンサ１（実施例３、図６参照）において、内側保護筒１５を設け、内側保護筒１５の内方突出部１５１とホルダ６の押圧部材６５とが当接可能な状態（実施例２、図５参照）とすることもできる。
【図面の簡単な説明】
【００５７】
【図１】実施例１における、ガスセンサの縦断面図。
【図２】実施例１における、接点部材と大気側絶縁碍子との係合状態の説明図。
【図３】実施例１における、ホルダの平面図。
【図４】実施例１における、ホルダの側面図。
【図５】実施例２における、ガスセンサの縦断面図。
【図６】実施例３における、ガスセンサの縦断面図。
【図７】従来例における、ガスセンサの縦断面図。
【符号の説明】
【００５８】
１  ガスセンサ
１１  大気側カバー
１１１  内方突出部
２  センサ素子
２１  基端部
２２  ヒータ
２５  端子
３  ハウジング
４  大気側絶縁碍子
４０  基端面
４１  被係止部
５  接点部材
５１  係止部
６  ホルダ
６１  爪部
６２  ホルダ当接部
【図１】
2008215876.tif 000003
【図２】
2008215876.tif 000004
【図３】
2008215876.tif 000005
【図４】
2008215876.tif 000006
【図５】
2008215876.tif 000007
【図６】
2008215876.tif 000008
【図７】
2008215876.tif 000009